(57)【特許請求の範囲】
【請求項１】
回転することで内部に投入された洗濯物が持ち上げられ水面上に落下して洗濯、すすぎを行う回転ドラムと、前記回転ドラムを駆動するモータと、前記回転ドラムに熱風を供給する熱風供給手段と、洗濯物の量などに基づいた一般的な洗い方である標準コースを含み、異なる洗い時間、すすぎ回数、脱水時間を有する複数のコースよりなる洗濯行程と、回転ドラムに熱風供給手段より熱風を供給する乾燥行程とを制御する制御手段と、コースなどを設定する入力設定手段と、表示動作をする表示手段と、一連の運転した行程を記憶する不揮発性メモリよりなる記憶手段と、運転終了後商用電源をオフする電源開閉手段とを備え、前記制御手段は、前記一連の運転した行程が洗濯行程のみであるとき、洗濯行程のみを運転したことを前記記憶手段に記憶し、次回の商用電源投入時、前記一連の運転した行程が前記複数のコースのうちのいずれであっても、前記標準コースでの洗濯行程のみを運転可能に設定するとともに、前記表示手段によりその運転可能な行程を表示するようにし、前記一連の運転した行程が洗濯行程と乾燥行程とであるとき、洗濯行程と乾燥行程とを運転したことを前記記憶手段に記憶し、次回の商用電源投入時、前記一連の運転した行程が前記複数のコースのうちのいずれであっても、前記標準コースでの洗濯行程と乾燥行程とを運転可能に設定するとともに、前記表示手段によりその運転可能な行程を表示するようにしたランドリー機器。
【請求項２】
制御手段は、一連の運転した行程が乾燥行程のみであるとき、乾燥行程のみを記憶手段に記憶せず、次回の商用電源投入時、記憶手段に記憶している標準コースでの洗濯行程のみ、または標準コースでの洗濯行程と乾燥行程とのいずれかを運転可能に設定するとともに、前記表示手段によりその運転可能な行程を表示するようにした請求項１記載のランドリー機器。
【請求項３】
制御手段は、複数のコース以外に、入力設定手段により洗い時間、すすぎ回数、脱水時間、乾燥時間などを個別に設定可能とし、一連の運転した行程が前記個別に設定して運転した行程であるとき、前記個別に設定して運転した行程を記憶手段に記憶せず、次回の商用電源投入時、記憶手段に記憶している標準コースでの洗濯行程のみ、または標準コースでの洗濯行程と乾燥行程とのいずれかを運転可能に設定するとともに、前記表示手段によりその運転可能な行程を表示するようにした請求項１または２記載のランドリー機器。
【発明の詳細な説明】
【０００１】
【発明の属する技術分野】
本発明は、略水平方向に設けた回転軸を中心に回転自在に配設した回転ドラム内で洗濯物を洗濯、または洗濯と乾燥を行うランドリー機器に関するものである。
【０００２】
【従来の技術】
従来、この種のランドリー機器は図７に示すように構成していた。以下、その構成について説明する。
【０００３】
図に示すように、回転ドラム１は、外周部に多数の通水孔２を全面に設け、外槽３内に回転自在に配設している。回転ドラム１の回転中心に略水平方向に設けた回転軸４の一端を固定し、回転軸４の他端にドラムプーリー５を固定している。モータ６は、ベルト７によりドラムプーリー５と連結し、回転ドラム１を回転駆動する。回転ドラム１の開口部に蓋８を開閉自在に設けている。回転ドラム１に熱風供給手段（図示せず）より熱風を供給するように構成している。
【０００４】
外槽３は、ランドリー本体９よりばね体１０で吊り下げ、防振ダンパー１１により脱水時の振動がランドリー本体９に伝達されないように防振支持するとともに、脱水時の振動を低減するバランサー１２を設けている。ヒータ１３は、外槽３内の洗濯水を加熱するものである。制御装置１４は、モータ６、ヒータ１３、熱風供給手段などの動作を制御し、入力設定手段（図示せず）により異なる洗い時間、すすぎ回数、脱水時間を有する「標準コース」、「スピーディー」コース、「毛布」コース、「ウール」コースなどの洗濯行程と、乾燥行程とを設定可能とし、設定したコースを逐次制御するとともに、洗い時間、すすぎ回数、脱水時間、乾燥時間を個別に設定可能としている。
【０００５】
上記構成において動作を説明すると、蓋８を開いて回転ドラム１内に洗濯物を投入し、洗濯行程のコースを設定して運転を開始すると、回転ドラム１はモータ６によって低速で回転駆動され、回転ドラム１内の洗濯物は持ち上げられて水面上に落下されて洗濯される。すすぐ場合にも洗濯する場合と同様の動作を行う。すすぎの後の脱水では、回転ドラム１は高速で回転駆動され、洗濯物は遠心脱水される。このとき、回転ドラム１内の洗濯物の片寄り、すなわちアンバランスが生じると、回転ドラム１および外槽３は振動するが、防振ダンパー１１により振動を減衰してランドリー本体９に伝達されることはない。
【０００６】
また、洗濯行程と乾燥行程とを設定すると、洗濯物を洗濯、すすぎ、脱水した後、熱風供給手段より回転ドラム１に熱風を供給し、回転ドラム１内の洗濯物を乾燥する。
【０００７】
【発明が解決しようとする課題】
このような従来の構成では、運転パターンとして、洗濯、すすぎ、脱水よりなる洗濯行程と乾燥行程とを連続して動作させる場合と、洗濯行程だけで終了させる場合と、乾燥行程だけを運転する場合とがある。これらは、電源スイッチを投入した後、入力設定手段により所定の運転パターンに設定して運転を開始する。
【０００８】
そこで、電源スイッチを投入し運転開始までの初期状態で、たとえば、常に、洗濯行程と乾燥行程とを連続して動作させるように設定しておくと、洗濯行程だけで終了させる場合には、その都度、運転開始前に入力設定手段を操作して洗濯行程のみを設定し直した後、運転を開始する必要がある。
【０００９】
また、初期状態で、常に、洗濯行程のみを動作させるように設定しておくと、洗濯行程と乾燥行程とを連続して運転する場合には、その都度、運転開始前に入力設定手段を操作して洗濯行程と乾燥行程とに設定し直した後、運転を開始する必要があり、いずれにしても、運転開始前の入力設定手段の操作回数が多く、使い勝手が悪いという問題を有していた。
【００１０】
この解決策として、洗濯、すすぎ、脱水よりなる洗濯行程と乾燥行程とを連続して動作させた場合、洗濯行程だけで終了させた場合、乾燥行程だけを運転させた場合に、それぞれを制御装置１４を構成するマイクロコンピュータに内蔵した記憶手段（図示せず）に記憶しておき、次回運転時に運転開始までの初期状態で、記憶手段の記憶内容を設定するものがある。
【００１１】
しかし、このものは、商用電源をオフすると、記憶手段の記憶内容が消去されてしまい、次回運転時に商用電源を投入したとき、使用者が設定する可能性に近い運転パターンを設定することができず、使い勝手が悪いものであった。
【００１２】
本発明は上記課題を解決するもので、商用電源を投入し運転開始までの初期状態で、使用者が設定する可能性に近い運転パターンを設定できるようにし、運転開始前の操作回数を少なくして使い勝手を向上することを目的としている。
【００１３】
【課題を解決するための手段】
本発明は上記目的を達成するために、回転することで内部に投入された洗濯物が持ち上げられ水面上に落下して洗濯、すすぎを行う回転ドラムと、回転ドラムを駆動するモータと、回転ドラムに熱風を供給する熱風供給手段と、洗濯物の量などに基づいた一般的な洗い方である標準コースを含み、異なる洗い時間、すすぎ回数、脱水時間を有する複数のコースよりなる洗濯行程と、回転ドラムに熱風供給手段より熱風を供給する乾燥行程とを制御する制御手段と、コースなどを設定する入力設定手段と、表示動作をする表示手段と、一連の運転した行程を記憶する不揮発性メモリよりなる記憶手段と、運転終了後商用電源をオフする電源開閉手段とを備え、制御手段は、一連の運転した行程が洗濯行程のみであるとき、洗濯行程のみを運転したことを記憶手段に記憶し、次回の商用電源投入時、一連の運転した行程が前記複数のコースのうちのいずれであっても、標準コースでの洗濯行程のみを運転可能に設定するとともに、前記表示手段によりその運転可能な行程を表示するようにし、前記一連の運転した行程が洗濯行程と乾燥行程とであるとき、洗濯行程と乾燥行程とを運転したことを記憶手段に記憶し、次回の商用電源投入時、前記一連の運転した行程が前記複数のコースのうちのいずれであっても、前記標準コースでの洗濯行程と乾燥行程とを運転可能に設定するとともに、前記表示手段によりその運転可能な行程を表示するようにしたものである。
【００１４】
これにより、次回の商用電源を投入し運転開始までの初期状態で、使用者が設定する可能性に近い運転パターンを設定することができ、運転開始前の操作回数を少なくして使い勝手を向上することができる。
【００１５】
【発明の実施の形態】
本発明の請求項１に記載の発明は、回転することで内部に投入された洗濯物が持ち上げられ水面上に落下して洗濯、すすぎを行う回転ドラムと、前記回転ドラムを駆動するモータと、前記回転ドラムに熱風を供給する熱風供給手段と、洗濯物の量などに基づいた一般的な洗い方である標準コースを含み、異なる洗い時間、すすぎ回数、脱水時間を有する複数のコースよりなる洗濯行程と、回転ドラムに熱風供給手段より熱風を供給する乾燥行程とを制御する制御手段と、コースなどを設定する入力設定手段と、表示動作をする表示手段と、一連の運転した行程を記憶する不揮発性メモリよりなる記憶手段と、運転終了後商用電源をオフする電源開閉手段とを備え、前記制御手段は、前記一連の運転した行程が洗濯行程のみであるとき、洗濯行程のみを運転したことを前記記憶手段に記憶し、次回の商用電源投入時、前記一連の運転した行程が前記複数のコースのうちのいずれであっても、前記標準コースでの洗濯行程のみを運転可能に設定するとともに、前記表示手段によりその運転可能な行程を表示するようにし、前記一連の運転した行程が洗濯行程と乾燥行程とであるとき、洗濯行程と乾燥行程とを運転したことを前記記憶手段に記憶し、次回の商用電源投入時、前記一連の運転した行程が前記複数のコースのうちのいずれであっても、前記標準コースでの洗濯行程と乾燥行程とを運転可能に設定するとともに、前記表示手段によりその運転可能な行程を表示するようにしたものであり、洗濯行程のみを運転させたときは、次回運転時も前回に引き続いて洗濯行程のみを運転させる可能性が高く、次回の商用電源を投入し運転開始までの初期状態で、記憶手段に記憶した洗濯行程のみを標準コースで設定し、また、洗濯行程と乾燥行程とを運転させたときは、次回運転時も前回に引き続いて洗濯行程と乾燥行程とを連続させて運転させる可能性が高く、次回の商用電源を投入し運転開始までの初期状態で、記憶手段に記憶した洗濯行程を標準コースで設定するとともに、洗濯行程につづいて乾燥行程を設定することにより、使用者が運転する可能性に近い運転パターンを設定することができ、運転開始前の操作回数を少なくして使い勝手を向上することができるとともに、商用電源を投入し運転開始までの初期状態で、設定されている運転パターンを視認することができ、運転パターンの変更または運転開始の操作を即座にすることができ、使い勝手を向上することができる。
【００１６】
請求項２に記載の発明は、上記請求項１に記載の発明において、一連の運転した行程が乾燥行程のみであるとき、乾燥行程のみを記憶手段に記憶せず、次回の商用電源投入時、記憶手段に記憶している標準コースでの洗濯行程のみ、または標準コースでの洗濯行程と乾燥行程とのいずれかを運転可能に設定するとともに、前記表示手段によりその運転可能な行程を表示するようにしたものであり、乾燥のみを運転させたときは、次回運転時は前回に引き続いて乾燥のみを運転させる可能性が低いため、次回の商用電源を投入し運転開始までの初期状態で、記憶手段に記憶している標準コースでの洗濯行程、または標準コースでの洗濯行程と乾燥行程とを運転可能に設定するとともに、前記表示手段によりその運転可能な行程を表示するようにしたことにより、使用者が運転する可能性に近い運転パターンを設定することができ、運転開始前の操作回数を少なくして使い勝手を向上することができる。
【００１７】
請求項３に記載の発明は、上記請求項１または２に記載の発明において、制御手段は、複数のコース以外に、入力設定手段により洗い時間、すすぎ回数、脱水時間、乾燥時間などを個別に設定可能とし、一連の運転した行程が前記個別に設定して運転した行程であるとき、前記個別に設定して運転した行程を記憶手段に記憶せず、次回の商用電源投入時、記憶手段に記憶している標準コースでの洗濯行程のみ、または標準コースでの洗濯行程と乾燥行程とのいずれかを運転可能に設定するとともに、前記表示手段によりその運転可能な行程を表示するようにしたものであり、個別に設定して運転させたときは、次回運転時は前回に引き続いて、同じ時間、回数で個別に設定して運転させる可能性が低いため、次回の商用電源を投入し運転開始までの初期状態で、記憶手段に記憶している標準コースでの洗濯行程、または標準コースでの洗濯行程と乾燥行程とを運転可能に設定するとともに、前記表示手段によりその運転可能な行程を表示するようにしたことにより、使用者が運転する可能性に近い運転パターンを設定することができ、運転開始前の操作回数を少なくして使い勝手を向上することができる。
【００１８】
【実施例】
以下、本発明の実施例について、図面を参照しながら説明する。なお、従来例と同じ構成のものは同一符号を付して説明を省略する。
【００１９】
（実施例１）
図２および図３に示すように、第１のモータ（モータ）１５は、回転ドラム１を第１の回転数Ｎ１（たとえば、５３ｒｐｍ）で回転させて、洗濯またはすすぎをするものであり、第２のモータ（モータ）１６は、回転ドラム１を第２の回転数Ｎ２（たとえば、１０００ｒｐｍ）で回転させて脱水する。これら第１のモータ１５および第２のモータ１６は、インダクションモータで構成し、それぞれベルト１７、１８を介して従動プーリー１９に連結している。
【００２０】
従動プーリー１９は、２種の減速比を有しており、第１のモータ１５をベルト１７を介して減速比が大きい従動プーリー１９ａと連結し、第２のモータ１６をベルト１８を介して減速比が小さい従動プーリー１９ｂと連結し、回転ドラム１の回転中心に一端を固定した水平軸４の他端に固定している。
【００２１】
送風ファン２０は、温風ヒータ２１とともに温風供給手段２２を構成するもので、ファンモータ２３により駆動され、一端を熱交換器２４を通して回転ドラム１に連通し、他端を送風ダクト２５を通して回転ドラム１に連通している。
【００２２】
制御装置２６は、第１のモータ１５、第２のモータ１６などを制御するもので、図１に示すように構成している。制御手段２７は、マイクロコンピュータで構成し、双方向性サイリスタなどで構成したパワースイッチング手段２８を介して、ヒータ１３、第１のモータ１５、第２のモータ１６、温風ヒータ２１、ファンモータ２３、給水弁２９、排水ポンプ３０などを制御し、洗濯、すすぎ、脱水の一連の洗濯行程を逐次制御し、洗濯行程につづいて乾燥行程を制御する。ヒータ１３は、外槽３内の洗濯水を加熱し、給水弁２９は外槽３内の給水し、排水ポンプ３０は外槽３内の洗濯水を排水するものである。
【００２３】
入力設定手段３１は、使用者が必要な設定コース、動作のスタートなどを入力するもので、制御手段２７に入力している。表示手段３２は、入力設定手段３１による設定内容、動作状態などを表示する。水位検知手段３３は、外槽３内の水位を検知し、水温検知手段３４は、外槽３内の水温を検知して、それぞれ制御手段２７に入力している。回転数検知手段３５は、第１のモータ１５の回転数を検知することで回転ドラム１の回転数を検知し、制御手段２７に入力している。
【００２４】
第１の記憶手段３６は、一連の制御に必要なデータなどを記憶している。第２の記憶手段（記憶手段）３７は、不揮発性メモリよりなり、電源をオフしても記憶内容を保持するもので、運転した洗濯行程、または洗濯行程と乾燥行程を記憶する。電源スイッチ３８（電源開閉手段）は、手動によりオンし、運転終了後ソレノイド３９に通電することにより商用電源４０をオフするようにしている。
【００２５】
入力設定手段３１は、図４に示すように、「洗濯行程と乾燥行程とを運転」、「洗濯行程を運転」、「乾燥行程を運転」を設定する洗濯・乾燥設定スイッチ３１ａと、洗濯行程での異なる洗い時間、すすぎ回数、脱水時間を有する「標準コース」、「スピーディー」コース、「毛布」コース、「ウール」コースなどを設定するコース設定スイッチ３１ｂと、動作のスタート・一時停止を入力するスタート・一時停止スイッチ３１ｃと、洗い時間、すすぎ回数、脱水時間、乾燥時間をそれぞれ個別に設定する洗い時間設定スイッチ３１ｄ、すすぎ回数設定スイッチ３１ｅ、脱水時間設定スイッチ３１ｆ、乾燥時間設定スイッチ３１ｇとで構成している。
【００２６】
表示手段３２は、洗濯・乾燥設定スイッチ３１ａにより設定された行程と動作状態を表示する行程表示ランプ３２ａと、コース設定スイッチ３１ｂにより設定されたコースを表示するコース表示ランプ３２ｂと、洗い時間設定スイッチ３１ｄ、すすぎ回数設定スイッチ３１ｅ、脱水時間設定スイッチ３１ｆ、乾燥時間設定スイッチ３１ｇにより個別に設定された洗い時間、すすぎ回数、脱水時間、乾燥時間を表示する洗い時間表示ランプ３２ｃ、すすぎ回数表示ランプ３２ｄ、脱水時間表示ランプ３２ｅ、乾燥時間表示ランプ３２ｆと、運転終了までの残時間を表示する残時間表示ランプ３２ｇとで構成している。
【００２７】
制御手段２７は、洗濯行程を運転したとき、第２の記憶手段３７に記憶するとともに、運転終了後ソレノイド３９に通電することで電源スイッチ３８をオフし、次回に電源スイッチ３８を投入したとき、標準コースでの洗濯行程を運転可能に設定し、行程表示ランプ３２ａの「洗い」、「すすぎ」、「脱水」と、コース表示ランプ３２ｂの「標準」を表示する。
【００２８】
なお、標準コースは、洗濯物の布質、量、汚れ具合などに基づいて、使用者が一般的な洗い方でよいと判断することを想定し、メーカー側が洗い時間、すすぎ回数、脱水時間を予め設定したコースである。
【００２９】
また、洗濯行程と乾燥行程を運転したとき、第２の記憶手段３７に記憶するとともに、運転終了後ソレノイド３９に通電することで電源スイッチ３８をオフし、次回に電源スイッチ３８を投入したとき、標準コースでの洗濯行程と乾燥行程を運転可能に設定し、行程表示ランプ３２ａの「洗い」、「すすぎ」、「脱水」、「乾燥」と、コース表示ランプ３２ｂの「標準」を表示する。
【００３０】
上記構成において動作を説明すると、蓋８を開いて回転ドラム１内の洗濯物を投入し、電源スイッチ３８をオンしたとき、第２の記憶手段３７の記憶内容により、標準コースでの洗濯行程と乾燥行程されている場合、入力設定手段３１のスタート・スイッチ３１ｃを操作して運転を開始すると、給水弁２９が動作して給水し、水位検知手段３３により所定の水位を検知すると給水を停止し、第１のモータ１５を駆動する。洗濯行程では、洗濯物に水が含まれるため補給水しながら、回転ドラム１は第１のモータ１５によって第１の回転数Ｎ１で回転駆動され、回転ドラム１内の洗濯物は持ち上げられて水面上に落下される。
【００３１】
このとき、ヒータ１３に通電して外槽３内の洗濯水を加熱し、水温検知手段３４により外槽３内の水温を検知して、洗濯水の温度をほぼ一定の温度に制御する。洗濯行程が終了すると、排水ポンプ３０が動作して外槽３内の洗濯水を排水する。その後、すすぎ行程を経由して脱水行程では、回転ドラム１は第２の回転数Ｎ２で回転駆動され、洗濯物は遠心脱水される。そのご、乾燥行程に入り、熱風供給手段２２より回転ドラム１に熱風を供給し、回転ドラム１内の洗濯物を乾燥する。
【００３２】
つぎに、第２の記憶手段３７への記憶と、次回の商用電源投入時の運転する行程の設定について図５を参照しながら説明する。
【００３３】
ステップ５０で電源スイッチ３８を投入して動作を開始し、ステップ５１で、制御手段２７は、第２の記憶手段３７の記憶内容を読み出し、読み出した内容を表示手段３２に表示する。読み出した記憶内容が洗濯行程を運転可能に設定している場合は、行程表示ランプ３２ａの「洗い」、「すすぎ」、「脱水」と、コース表示ランプ３２ｂの「標準」を表示し、洗濯行程と乾燥行程を運転可能に設定している場合は、行程表示ランプ３２ａの「洗い」、「すすぎ」、「脱水」、「乾燥」と、コース表示ランプ３２ｂの「標準」を表示する。
【００３４】
ステップ５２で、記憶内容が洗濯行程を運転可能に設定しているか、洗濯行程と乾燥行程を運転可能に設定しているかを判定し、洗濯行程を運転可能に設定している場合は、ステップ５３で洗濯・乾燥設定スイッチ３１ａがオンされたかを判定し、オンされたときはステップ５４で「洗濯行程と乾燥行程とを運転」か、「乾燥行程を運転」かを判定する。
【００３５】
「洗濯行程と乾燥行程とを運転」のときは、ステップ５５で洗濯行程のコースを変更するときは、コース設定スイッチ３１ｂにより、「スピーディー」コース、「毛布」コースのいずれかに設定する。なお、「標準」コースは、第２の記憶手段３７の記憶内容を読み出したときに設定しているため、コース設定スイッチ３１ｂにより設定する必要はなく、「ウール」コースは乾燥行程を行わないようにプログラムを設定しているため、設定できない。
【００３６】
つぎに、ステップ５６でスタート・スイッチ３１ｃを操作して運転を開始し、ステップ５７で所定のプログラムが終了すると、ステップ５８で「洗濯行程と乾燥行程とを運転」したことを第２の記憶手段３７に記憶し、ステップ５９でソレノイド３９に通電して電源スイッチ３８をオフし、終了する。第２の記憶手段３７は不揮発性メモリで構成しているため、電源スイッチ３８をオフしても記憶内容を保持している。そして、次回に電源スイッチ３８を投入したとき、標準コースでの洗濯行程と乾燥行程を運転可能に設定し、行程表示ランプ３２ａの「洗い」、「すすぎ」、「脱水」、「乾燥」と、コース表示ランプ３２ｂの「標準」を表示する。
【００３７】
ステップ５３で洗濯・乾燥設定スイッチ３１ａがオンされないときは、「洗濯行程を運転」であるため、ステップ６０で洗濯行程のコースを変更するときは、コース設定スイッチ３１ｂにより、「スピーディー」コース、「毛布」コース、「ウール」コースのいずれかに設定する。なお、「標準」コースは、第２の記憶手段３７の記憶内容を読み出したときに設定しているため、コース設定スイッチ３１ｂにより設定する必要はない。
【００３８】
つぎに、ステップ６１でスタート・スイッチ３１ｃを操作して運転を開始し、ステップ６２で所定のプログラムが終了すると、ステップ６３で「洗濯行程を運転」したことを第２の記憶手段３７に記憶し、ステップ６４でソレノイド３９に通電して電源スイッチ３８をオフし、終了する。そして、次回に電源スイッチ３８を投入したとき、標準コースでの洗濯行程を運転可能に設定し、行程表示ランプ３２ａの「洗い」、「すすぎ」、「脱水」と、コース表示ランプ３２ｂの「標準」を表示する。
【００３９】
ステップ５４で「乾燥行程を運転」のときは、ステップ６５でスタート・スイッチ３１ｃを操作して運転を開始し、ステップ６６で所定のプログラムが終了すると、第２の記憶手段３７に「乾燥行程を運転」を記憶せずに、ステップ６７でソレノイド３９に通電して電源スイッチ３８をオフし、終了する。したがって、「乾燥行程を運転」させたときは、第２の記憶手段３７に記憶せず、次回の電源スイッチ３８を投入したときは、ステップ５１、５２に示すように、第２の記憶手段３７に記憶している標準コースでの洗濯行程、または標準コースでの洗濯行程と乾燥行程を運転可能に設定することになる。
【００４０】
ステップ５２で、洗濯行程と乾燥行程を運転可能に設定している場合は、ステップ６８で洗濯・乾燥設定スイッチ３１ａがオンされたかを判定し、オンされたときはステップ６９で「洗濯行程を運転」か、「乾燥行程を運転」かを判定する。「洗濯行程を運転」のときは、ステップ７０からステップ７４で、ステップ６０からステップ６４と同じ動作をして、「洗濯行程を運転」したことを第２の記憶手段３７に記憶し、終了する。そして、次回に電源スイッチ３８を投入したとき、標準コースでの洗濯行程を運転可能に設定し、行程表示ランプ３２ａの「洗い」、「すすぎ」、「脱水」と、コース表示ランプ３２ｂの「標準」を表示する。
【００４１】
ステップ６８で洗濯・乾燥設定スイッチ３１ａがオンされないときは、「洗濯行程と乾燥行程とを運転」であるため、ステップ７５からステップ７９で、ステップ５５からステップ５９と同じ動作をし、「洗濯行程と乾燥行程とを運転」したことを第２の記憶手段３７に記憶し、終了する。そして、次回に電源スイッチ３８を投入したとき、標準コースでの洗濯行程と乾燥行程を運転可能に設定し、行程表示ランプ３２ａの「洗い」、「すすぎ」、「脱水」、「乾燥」と、コース表示ランプ３２ｂの「標準」を表示する。
【００４２】
ステップ６９で「乾燥行程を運転」のときは、ステップ８０からステップ８２で、ステップ６５からステップ６７と同じ動作をし、第２の記憶手段３７に記憶せずに終了する。したがって、「乾燥行程を運転」させたときは、第２の記憶手段３７に記憶せず、次回の電源スイッチ３８を投入したときは、ステップ５１、５２に示すように、第２の記憶手段３７に記憶している標準コースでの洗濯行程、または標準コースでの洗濯行程と乾燥行程を運転可能に設定することになる。
【００４３】
このように本実施例によれば、「洗濯行程を運転」させたときは、次回運転時も前回に引き続いて洗濯行程を運転させる可能性が高く、「洗濯行程と乾燥行程とを運転」させたときは、次回運転時も前回に引き続いて洗濯行程と乾燥行程を連続させて運転させる可能性が高いため、次回の商用電源を投入し運転開始までの初期状態で、記憶手段に記憶した洗濯行程を標準コースで設定、または洗濯行程につづいて乾燥行程を設定することにより、使用者が運転する可能性に近い運転パターンを設定することができ、運転開始前の操作回数を少なくして使い勝手を向上することができる。
【００４４】
また、第２の記憶手段３７に記憶した内容を読み出して、標準コースでの洗濯行程、または標準コースでの洗濯行程と乾燥行程を設定したとき、同時に表示手段３２に設定内容を表示することで、商用電源４０を投入し運転開始までの初期状態で、設定されている運転パターンを視認することができ、運転パターンの変更または運転開始の操作を即座にすることができ、使い勝手を向上することができる。
【００４５】
また、「乾燥行程を運転」させたときは、第２の記憶手段３７に記憶せず、次回の商用電源投入時には、第２の記憶手段３７に記憶している標準コースでの洗濯行程、または標準コースでの洗濯行程と乾燥行程を運転可能に設定するので、乾燥のみを運転させたときは、次回運転時は前回に引き続いて乾燥のみを運転させる可能性が低いため、使用者が運転する可能性に近い運転パターンを設定することができ、運転開始前の操作回数を少なくして使い勝手を向上することができる。
【００４６】
なお、電源開閉手段は、運転終了後、ソレノイド３９に通電して電源スイッチ３８をオフするように構成しているが、リレーなどにより構成してもよい。
【００４７】
（実施例２）
図３における制御手段２７は、洗い時間設定スイッチ３１ｄ、すすぎ回数設定スイッチ３１ｅ、脱水時間設定スイッチ３１ｆ、乾燥時間設定スイッチ３１ｇにより、洗い時間、すすぎ回数、脱水時間、乾燥時間などを個別に設定して運転したときは、第２の記憶手段３７に記憶せず、次回の商用電源投入時、第２の記憶手段３７に記憶している標準コースでの洗濯行程、または標準コースでの洗濯行程と乾燥行程を運転可能に設定するようにしている。他の構成は上記実施例１と同じである。
【００４８】
上記構成において図６を参照しながら動作を説明すると、ステップ５０で電源スイッチ３８を投入して動作を開始し、ステップ５１で、制御手段２７は、第２の記憶手段３７の記憶内容を読み出し、読み出した内容を表示手段３２に表示する。読み出した記憶内容が洗濯行程を運転可能に設定している場合は、行程表示ランプ３２ａの「洗い」、「すすぎ」、「脱水」と、コース表示ランプ３２ｂの「標準」を表示し、洗濯行程と乾燥行程を運転可能に設定している場合は、行程表示ランプ３２ａの「洗い」、「すすぎ」、「脱水」、「乾燥」と、コース表示ランプ３２ｂの「標準」を表示する。
【００４９】
ステップ８３で、洗い時間設定スイッチ３１ｄ、すすぎ回数設定スイッチ３１ｅ、脱水時間設定スイッチ３１ｆ、乾燥時間設定スイッチ３１ｇなどの個別設定スイッチがオンされないときは、上記実施例１の図５に示すステップ５２以降の動作を行う。
【００５０】
ステップ８３で、洗い時間設定スイッチ３１ｄ、すすぎ回数設定スイッチ３１ｅ、脱水時間設定スイッチ３１ｆ、乾燥時間設定スイッチ３１ｇなどの個別設定スイッチの内、必要なスイッチがオンされると、ステップ８４で洗い時間、すすぎ回数、脱水時間、乾燥時間などが必要に応じて個別に設定される。つぎに、ステップ８５でスタート・スイッチ３１ｃを操作して運転を開始し、ステップ８６で設定した時間が経過すると、ステップ８７でソレノイド３９に通電して電源スイッチ３８をオフし、終了する。
【００５１】
したがって、洗い時間設定スイッチ３１ｄ、すすぎ回数設定スイッチ３１ｅ、脱水時間設定スイッチ３１ｆ、乾燥時間設定スイッチ３１ｇにより、洗い時間、すすぎ回数、脱水時間、乾燥時間などを個別に設定して運転したときは、第２の記憶手段３７に記憶せず、次回の電源スイッチ３８を投入したときは、第２の記憶手段３７に記憶している標準コースでの洗濯行程、または標準コースでの洗濯行程と乾燥行程を運転可能に設定することになる。
【００５２】
このように本実施例によれば、洗い時間設定スイッチ３１ｄ、すすぎ回数設定スイッチ３１ｅ、脱水時間設定スイッチ３１ｆ、乾燥時間設定スイッチ３１ｇにより、個別に設定して運転させたときは、次回運転時は前回に引き続いて、同じ時間、回数で個別に設定して運転させる可能性が低いため、次回の商用電源を投入し運転開始までの初期状態で、第２の記憶手段３７に記憶している標準コースでの洗濯行程、または標準コースでの洗濯行程と乾燥行程を運転可能に設定することにより、使用者が運転する可能性に近い運転パターンを設定することができ、運転開始前の操作回数を少なくして使い勝手を向上することができる。
【００５３】
【発明の効果】
以上のように本発明よれば、洗濯行程のみを運転させたときは、次回運転時も前回に引き続いて洗濯行程のみを運転させ、洗濯行程と乾燥行程とを運転させたときは、次回運転時も前回に引き続いて洗濯行程と乾燥行程を連続させて運転させる可能性が高いため、次回の商用電源投入時に、使用者が運転する可能性に近い運転パターンを設定することができ、運転開始前の操作回数を少なくして使い勝手を向上することができるとともに、商用電源を投入し運転開始までの初期状態で、設定されている運転パターンを視認することができ、運転パターンの変更または運転開始の操作を即座にすることができ、使い勝手を向上することができる。
【図面の簡単な説明】
【図１】  本発明の第１の実施例のランドリー機器のブロック回路図
【図２】  同ランドリー機器の断面図
【図３】  同ランドリー機器の一部切欠した斜視図
【図４】  同ランドリー機器の操作表示部の拡大正面図
【図５】  同ランドリー機器の動作フローチャート
【図６】  本発明の第２の実施例のランドリー機器の動作フローチャート
【図７】  従来のランドリー機器の断面図
【符号の説明】
１  回転ドラム
４  回転軸
１５  第１のモータ（モータ）
１６  第２のモータ（モータ）
２２  熱風供給手段
２７  制御手段
３７  第２の記憶手段（記憶手段）
３８  電源スイッチ（電源開閉手段）
【図１】
0003777697.tif 000002
【図２】
0003777697.tif 000003
【図３】
0003777697.tif 000004
【図４】
0003777697.tif 000005
【図５】
0003777697.tif 000006
【図６】
0003777697.tif 000007
【図７】
0003777697.tif 000008